(57)【要約】【課題】折板屋根の上向き突出部の先端部に配置するための作業を簡単化に行えるようになる折板屋根用設置物の取付架台を提供すること。【解決手段】折板屋根１の上向き突出部２の先端部３に配置され、折板屋根用設置物であるソーラーパネル５０を取り付けるために用いられる取付架台１０は、先端部３を挟持するための第１挟持部材１１及び第２挟持部材１２と、第１挟持部材１１及び第２挟持部材１２を互いに近づけるように締め付けることにより、第１挟持部材１１及び第２挟持部材１２に先端部３を挟持させるための締め付け具１３と、を含んで構成され、第１挟持部材１１と第２挟持部材１２は、揺動中心部１１Ｇを中心に先端部３の幅方向に揺動自在であり、締め付け具１３の締め付けで第１挟持部材１１と第２挟持部材１２が先端部３を挟持することは、揺動中心部１１Ｇを中心とする第１挟持部材１１、第２挟持部材１２の揺動によってなされる。【選択図】図１
2015045192.tif 000002
【特許請求の範囲】
【請求項１】
折板屋根の上向き突出部の先端部に配置され、前記折板屋根の上に折板屋根用設置物を取り付けるために用いられる取付架台であって、前記先端部を挟持するための第１挟持部材及び第２挟持部材と、これらの第１挟持部材及び第２挟持部材を互いに近づけるように締め付けることにより、前記第１挟持部材及び前記第２挟持部材に前記先端部を挟持させるための締め付け具と、を含んで構成される折板屋根用設置物の取付架台において、
前記第１挟持部材と前記第２挟持部材は、揺動中心部を中心に前記先端部の幅方向に揺動自在となっており、前記締め付け具の締め付けによって前記第１挟持部材と前記第２挟持部材が前記先端部を挟持することが、前記揺動中心部を中心とする前記第１挟持部材、前記第２挟持部材の揺動によってなされることを特徴とする折板屋根用設置物の取付架台。
【請求項２】
請求項１に記載の折板屋根用設置物の取付架台において、前記第１挟持部材と前記第２挟持部材のうち、一方に前記揺動中心部が設けられていることを特徴とする折板屋根用設置物の取付架台。
【請求項３】
請求項２に記載の折板屋根用設置物の取付架台において、前記第１挟持部材と前記第２挟持部材のうち、前記一方には他方に向かって延びるアーム部が設けられ、このアーム部の先端に前記揺動中心部が設けられていることを特徴とする折板屋根用設置物の取付架台。
【請求項４】
請求項３に記載の折板屋根用設置物の取付架台において、前記揺動中心部は、前記アーム部と一体に形成されている前記一方の一部分となっており、前記他方には、前記揺動中心部が滑動自在に嵌合されている凹部が形成されていることを特徴とする折板屋根用設置物の取付架台。
【請求項５】
請求項３又は４に記載の折板屋根用設置物の取付架台において、前記第１挟持部材及び前記第２挟持部材と前記折板屋根用設置物との間には、中間部材が介設され、前記アーム部には、この中間部材を前記一方に結合するための結合具が挿通する孔が形成されていることを特徴とする折板屋根用設置物の取付架台。
【請求項６】
請求項１〜５のいずれかに記載の折板屋根用設置物の取付架台において、前記第１挟持部材及び前記第２挟持部材と前記折板屋根用設置物との間には、中間部材が介設され、前記第１挟持部材と前記第２挟持部材とのうち、少なくとも一方には、前記中間部材が載せられる中間部材載置部が設けられていることを特徴とする折板屋根用設置物の取付架台。
【請求項７】
請求項１〜６のいずれかに記載の折板屋根用設置物の取付架台において、前記締め付け具は、前記第１挟持部材及び前記第２挟持部材に形成されている孔を前記先端部の幅方向に貫通するボルトと、このボルトの端部に螺合されるナットとを含んだものとなっており、前記第１挟持部材及び前記第２挟持部材に形成されている前記孔は、上下方向に長い長孔となっていることを特徴とする折板屋根用設置物の取付架台。
【請求項８】
請求項１〜７のいずれかに記載の折板屋根用設置物の取付架台において、前記先端部は、上部の幅広部と下部の幅狭部とを有し、前記第１挟持部材と前記第２挟持部材は、内部に前記幅広部を収納して前記幅狭部を挟持するものとなっていることを特徴とする折板屋根用設置物の取付架台。
【発明の詳細な説明】
【技術分野】
【０００１】
本発明は、折板屋根の上に設置される設置物を折板屋根に取り付けるための取付架台に係り、例えば、太陽光発電のためのソーラーパネル（太陽電池モジュール）や、太陽熱温水器、屋根緑化装置等の折板屋根用設置物に利用できるものである。
【背景技術】
【０００２】
下記の特許文献１には、折板屋根の上に設置されるソーラーパネル等の設置物を折板屋根に取り付けるための取付架台が示されている。この取付架台は、折板屋根の上向き突出部の先端部に配置され、折板屋根の上に折板屋根用設置物を取り付けるために用いられる取付架台であって、折板屋根の上向き突出部の先端部を挟持するための第１挟持部材及び第２挟持部材と、これらの第１挟持部材及び第２挟持部材を互いに近づけるように締め付けることにより、第１挟持部材及び第２挟持部材に前記先端部を挟持させるための締め付け具と、を含んで構成されている。
【先行技術文献】
【特許文献】
【０００３】
【特許文献１】特開２０１１−３８２８６号公報（００２４段落及び図４）
【発明の概要】
【発明が解決しようとする課題】
【０００４】
しかし、上記特許文献１に示されている取付架台の第１挟持部材及び第２挟持部材は、締め付け具の締め付けにより、互いに平行状態を維持しながら近づく方向へ移動し、これにより、折板屋根の上向き突出部の先端部を挟持するようになっているため、この挟持によって取付架台を折板屋根の上向き突出部の先端部に配置するためには、第１挟持部材及び第２挟持部材を、締め付け具の締め付けによって平行移動させる作業を行わなければならず、この作業は手間のかかる面倒な作業である。
【０００５】
本発明の目的は、折板屋根の上向き突出部の先端部に配置するための作業を簡単化に行えるようになる折板屋根用設置物の取付架台を提供するところにある。
【課題を解決するための手段】
【０００６】
本発明に係る折板屋根用設置物の取付架台は、折板屋根の上向き突出部の先端部に配置され、前記折板屋根の上に折板屋根用設置物を取り付けるために用いられる取付架台であって、前記先端部を挟持するための第１挟持部材及び第２挟持部材と、これらの第１挟持部材及び第２挟持部材を互いに近づけるように締め付けることにより、前記第１挟持部材及び前記第２挟持部材に前記先端部を挟持させるための締め付け具と、を含んで構成される折板屋根用設置物の取付架台において、前記第１挟持部材と前記第２挟持部材は、揺動中心部を中心に前記先端部の幅方向に揺動自在となっており、前記締め付け具の締め付けによって前記第１挟持部材と前記第２挟持部材が前記先端部を挟持することが、前記揺動中心部を中心とする前記第１挟持部材、前記第２挟持部材の揺動によってなされることを特徴とするものである。
【０００７】
この折板屋根用設置物の取付架台では、第１挟持部材と第２挟持部材が、揺動中心部を中心に折板屋根の上向き突出部の先端部の幅方向に揺動自在となっており、そして、締め付け具の締め付けによって第１挟持部材と第２挟持部材が前記先端部を挟持することが、揺動中心部を中心とする第１挟持部材、第２挟持部材の揺動によってなされるため、取付架台を折板屋根の上向き突出部の先端部に配置するための作業を、この揺動により短時間のうちに容易に行え、この作業の簡単化を図ることができるようになる。
【０００８】
本発明において、上述したように、第１挟持部材と第２挟持部材を、揺動中心部を中心に折板屋根の上向き突出部の先端部の幅方向に揺動自在とし、締め付け具の締め付けによって先端部が第１挟持部材と第２挟持部材で挟持されることが、揺動中心部とする第１挟持部材、第２挟持部材の揺動によってなされるようにするためには、揺動中心部を、第１挟持部材及び第２挟持部材とは別部材となっている揺動中心部材により形成し、この揺動中心部材によって第１挟持部材と第２挟持部材とを揺動自在に連結し、これにより、それぞれの挟持部材を揺動中心部材を中心に揺動自在としてもよく、あるいは、第１挟持部材と第２挟持部材のうち、一方に揺動中心部を設け、これにより、一方に設けられている揺動中心部を中心にそれぞれの挟持部材を揺動自在としてもよい。
【０００９】
また、後者のように第１挟持部材と第２挟持部材のうち、一方に揺動中心部を設ける場合には、前記一方に、他方に向かって延びるアーム部を設け、このアーム部の先端に揺動中心部が設けてもよい。
【００１０】
そして、この揺動中心部を、前記アーム部と一体に形成されている前記一方の一部分とし、前記他方には、揺動中心部が滑動自在に嵌合されている凹部を形成してもよい。
【００１１】
これによると、第１挟持部材と第２挟持部材のうち、一方を、アーム部と揺動中心部とを有する１個の部品として生産することができ、他方も１個の部品として生産することができる。
【００１２】
また、本発明において、第１挟持部材及び第２挟持部材と折板屋根用設置物との間に、中間部材が介設される場合には、前記アーム部に、この中間部材を前記一方に結合するための結合具を挿通させるための孔を形成してもよい。
【００１３】
これによると、アーム部に形成された孔を挿通させた結合具により、前記中間部材を前記一方に結合することができ、中間部材を確実に前記一方に結合できるようになる。
【００１４】
また、第１挟持部材及び第２挟持部材と折板屋根用設置物との間に、中間部材が介設される場合には、第１挟持部材と第２挟持部材とのうち、少なくとも一方には、中間部材が載せられる中間部材載置部を設けてもよい。
【００１５】
これによると、前記中間部材を、第１挟持部材と第２挟持部材とのうち、少なくとも一方に設けられた中間部材載置部に載せて配置できるようになり、中間部材の安定した配置を実現できるようになる。
【００１６】
さらに、前述した締め付け具は、ボルト及びナットによるものでもよく、あるいは、ばね等の弾性部材を用いた弾圧手段によるものでもよい。
【００１７】
そして、この締め付け具を、第１挟持部材及び第２挟持部材に形成されている孔を折板屋根の上向き突出部の先端部の幅方向に貫通するボルトと、このボルトの端部に螺合されるナットとを含んだものとする場合には、第１挟持部材及び第２挟持部材に形成されている前記孔を、上下方向に長い長孔とすることが好ましい。
【００１８】
これによると、第１挟持部材及び第２挟持部材にボルトを貫通させるために形成されている孔は上下方向に長い長孔となっているため、ボルト及びナットの締め付け力により第１挟持部材と第２挟持部材を前記揺動中心部を中心に揺動させる際に、ボルトの位置と第１挟持部材及び第２挟持部材の位置とが相対的に上下方向にずれることがこの長孔によって許容されることになり、これにより、ボルト及びナットの締め付け力を所定どおりに第１挟持部材と第２挟持部材に作用させることができるようになる。
【００１９】
以上において、締め付け具による締め付けにより第１挟持部材と第２挟持部材とで挟持される折板屋根の上向き突出部の先端部は、折板屋根のハゼ部、すなわち、折板屋根の上向き突出部を形成する二枚の板材の折り曲げによる結合部でもよく、あるいは、折板屋根の上向き突出部を形成する一枚の板材の折り曲げによって形成された先端部でもよい。
【００２０】
また、折板屋根の上向き突出部の先端部が、上部の幅広部と下部の幅狭部とを有する場合には、第１挟持部材と第２挟持部材を、内部に幅広部を収納して幅狭部を挟持するものとしてもよい。
【００２１】
さらに、以上説明した本発明に係る折板屋根用設置物の取付架台は、任意の折板屋根用設置物を折板屋根に取り付けるために用いることができ、この折板屋根用設置物は、例えば、太陽光発電のためのソーラーパネルでもよく、太陽熱温水器でもよく、屋根緑化装置等でもよい。
【発明の効果】
【００２２】
本発明によると、折板屋根の上向き突出部の先端部に取付架台を配置するための作業を簡単化に行えるという効果を得られる。
【図面の簡単な説明】
【００２３】
【図１】図１は、本発明の一実施形態に係る折板屋根用設置物の取付架台を示す正面図である。
【図２】図２は、図１で示されている取付架台の一部を示す正断面図である。
【図３】図３は、図１の取付架台の構成要素となっている第１挟持部材と第２挟持部材を示す斜視図である。
【図４】図４は、第１挟持部材と第２挟持部材が折板屋根の上向き突出部の先端部に配置されたときを示す正面図である。
【図５】図５は、第１挟持部材と第２挟持部材の上に中間部材であるレール受け部材を配置し、レール受け部材にレールを支持させるときを示す斜視図である。
【図６】図６は、レールに折板屋根用設置物であるソーラーパネルを載置固定する作業を示す斜視図である。
【図７】図７は、図１の取付架台が、上向き突出部の先端部であるハゼ部が図１のハゼ部と異なっている折板屋根に適用された場合を示す図１と同様の図である。
【図８】図８は、取付架台の第１及び第２挟持部材が、上向き突出部の先端部であるハゼ部が図１及び図７のハゼ部と異なっている折板屋根に適用可能の部材となっている場合の実施形態を示す図１と同様の図である。
【図９】図９は、取付架台の第１及び第２挟持部材が、上向き突出部の先端部が一枚の板材の折り曲げで形成されている折板屋根に適用された場合を示す図１と同様の図である。
【発明を実施するための形態】
【００２４】
以下に本発明を実施するための形態を図面に基づいて説明する。図１には、本発明の一実施形態に係る折板屋根用設置物の取付架台１０が示されており、この取付架台１０は、折板屋根１に形成されている上向き突出部２の先端部３に配置されて、折板屋根用設置物であるソーラーパネル（太陽電池モジュール）５０を折板屋根１の上に設置するために用いられるものとなっている。
【００２５】
図１で示されている折板屋根１の上向き突出部２は、上向き突出部２の幅方向である折板屋根１の左右方向に多数並設されており、これらの上向き突出部２の全部又は一部の先端部３は、上向き突出部２を形成する二枚の板材４，５の端部同士を折り曲げて結合した結合部となっているハゼ部であり、先端部３は、上部の幅広部３Ａと、下部の幅狭部３Ｂとからなる。
【００２６】
また、取付架台１０は、左右に配置された第１挟持部材１１及び第２挟持部材１２と、これらの挟持部材１１，１２を締め付けるための締め付け具１３と、第１及び第２挟持部材１１，１２の上に載せられるレール受け部材１４と、レール受け部材１４の上に載せられることにより、このレール受け部材１４で支持されるレール１５とを含んで構成されたものとなっている。取付架台１０を構成するこれらの部材１１〜１５のうち、レール受け部材１４とレール１５は、２個の挟持部材１１，１２とソーラーパネル５０との間に配置される上下の中間部材となっている。
【００２７】
これらの中間部材について先に説明すると、上下の中間部材のうち、下側の中間部材となっているレール受け部材１４は、図１及び図２に示されているように、第１及び第２挟持部材１１，１２の上に載置される部材になっているとともに、このレール受け部材１４は、図２に示されている底部１４Ａと、この底部の上に設けられた左右２個の段部１４Ｂとを有し、これらの段部１４Ｂの左右方向の外面において、外方へ段状に突出した段状突出部１４Ｃが形成され、これらの段状突出部１４Ｃの上面の内端部には起立部１４Ｄが設けられている。左右２個設けられている起立部１４Ｄの間は開口しているため、レール受け部材１４は、全体として上向きに開口した形状になっている。
【００２８】
このような形状となっているレール受け部材１４は、図５から分かるように、折板屋根１の上向き突出部２の長手方向（折板屋根１の前後方向）に短い寸法を有する部材となっており、これに対して上記中間部材のうち、上側の中間部材となっているレール１５は、上向き突出部２の長手方向に長い寸法を有する部材となっている。このレール１５は、図２に示されているように、レール受け部材１４の左右２個の段部１４Ｂの上に載せられることによりレール受け部材１４によって支持される。また、全体の縦断面形状が略四角形となっているレール１５の左右の側面部には、下向きにＬ字形に突出した突起１５Ａが形成されている。
【００２９】
レール１５がレール受け部材１４の左右２個の段部１４Ｂの上に載せられたときには、レール受け部材１４の起立部１４Ｄは、レール１５に下向きにＬ字形に形成されている突起１５Ａの内部に下側から挿入係合される。図２に示されている左右一対の連結部材１６は、レール受け部材１４とレール１５とを、これらのレール受け部材１４とレール１５の側部において連結するためのものであり、連結部材１６を、レール１５の突起１５Ａとレール受け部材１４の段状突出部１４Ｃとに外側から被せ、図５に示されている連結部材１６の孔１６Ａと、段状突出部１４Ｃの孔１４Ｅとにボルト１７の軸部を挿入するとともに、段状突出部１４Ｃの内部空間に挿入配置しておいた図２のナット１８にボルト１７の軸部の先端部を螺入することにより、連結部材１６がレール受け部材１４の段状突出部１４Ｃにボルト１７及びナット１８で結合されるとともに、レール受け部材１４とレール１５とが連結部材１６によって連結される。
【００３０】
図２に示されているように、レール１５の上部には、このレール１５の長さ方向に連続する溝部１９が形成されている。この溝部１９には、溝部１９の底部１９Ａより上側の箇所において、溝部１９の内側へ突出する左右一対のリップ部１９Ｂが形成されており、これらのリップ部１９Ｂの間は開口部１９Ｃとなっている。
【００３１】
レール１５には、図１で示したソーラーパネル５０を、押さえ部材２０と共にレール１５に固定するためのＴ型ボルト２１が取り付けられる。このＴ型ボルト２１は、図６に示されているように、頭部２１Ａが長方形となっていて、この長方形の短辺の寸法がリップ部１９Ｂの間の開口部１９Ｃの開口幅よりも短い寸法となっているものであり、この頭部２１Ａをレール１５の溝部１９の底部１９Ａとリップ部１９Ｂとの間の空間に上から挿入した後に、Ｔ型ボルト２１を９０度回動させ、図２の開口部１９Ｃから上方へ延びているＴ型ボルト２１の軸部にロックナット２２を螺合して締め付けることにより、Ｔ型ボルト２１は、レール１５の溝部１９に固定されて立設される。
【００３２】
押さえ部材２０は、図６に示されているように、底部２０Ａと、この底部２０Ａの両端部から立ち上がった一対の立上り部２０Ｂと、これらの立上り部２０Ｂの上端から互いに水平方向の反対側へ延出した押さえ部２０Ｃとからなる。レール１５の上面にはソーラーパネル５０が載せられ、互いに間隔をあけてレール１５の上面に載せられた２枚のソーラーパネル５０の間に押さえ部材２０を挿入、配置するとともに、この押さえ部材２０の底部２０Ａに形成された孔２０ＤにＴ型ボルト２１の軸部を挿入し、このＴ型ボルト２１の軸部にナット２３を螺合して締め付けることにより、２枚のソーラーパネル５０は、押さえ部材２０の押さえ部２０Ｃによる押さえ作用により、レール１５に固定される。
【００３３】
以上説明したレール１５は、同じ縦断面形状が長さ方向（折板屋根１の上向き突出部２の長手方向）に連続しているアルミ又はアルミ合金製の押し出し成形品又は引き抜き成形品である。また、レール受け部材１４及び連結部材１６も、レール１５の長さ方向である折板屋根１の上向き突出部２の長手方向に連続している縦断面形状を有し、これらのレール受け部材１４及び連結部材１６は、レール１５よりも短い長さを有しているため、同じ縦断面形状が長さ方向に連続しているアルミ又はアルミ合金製の押し出し成形品又は引き抜き成形品を所定の短寸法で切断することにより形成されたものとなっている。
【００３４】
次に、図１で説明した第１挟持部材１１と第２挟持部材１２について説明する。これらの挟持部材１１，１２は、図５及び図６から分かるように、レール１５、レール受け部材１４及び連結部材１６と同様に、レール１５の長さ方向である折板屋根１の上向き突出部２の長手方向に連続している縦断面形状を有する。図１に示されているように、第１挟持部材１１は、最下部に、折板屋根１の上向き突出部２における先端部３よりも下側の上面２Ａに載せられる下面部１１Ａを有し、この下面部１１Ａの上部に左右方向の外方へ湾曲して膨出した膨出部１１Ｂが設けられ、この膨出部１１Ｂの上部は、内部が空間となったボックス部１１Ｃとなっており、このボックス部１１Ｃの上部に立上り部１１Ｄを介して載置部１１Ｅが形成されている。また、第２挟持部材１２も、最下部に、折板屋根１の上向き突出部２における先端部３よりも下側の上面２Ｂに載せられる下面部１２Ａを有しており、この下面部１２Ａの上部に左右方向の外方へ湾曲して膨出した膨出部１２Ｂが設けられており、この膨出部１２Ｂの上部は、内部が空間となったボックス部１２Ｃとなっている。そして、このボックス部１２Ｃの上部に、左右方向の外方へ湾曲して膨出した膨出部１２Ｄを介して載置部１２Ｅが形成されている。
【００３５】
これらの第１及び第２挟持部材１２の全体斜視図は図３に示されている。第１挟持部材１１の立上り部１１Ｄには、第２挟持部材１２側に向かって延びるアーム部１１Ｆが形成されており、このアーム部１１Ｆの先端部は円柱状の揺動中心部１１Ｇとなっている。また、第２挟持部材１２の膨出部１２Ｄには、第１挟持部材１１側に向かって開口し、揺動中心部１１Ｇが滑動自在に嵌合されている凹部１２Ｆが形成されている。
【００３６】
このため、第１挟持部材１１は、第２挟持部材１２に対して揺動中心部１１Ｇを中心として、折板屋根１の上向き突出部２の先端部３の幅方向へ揺動自在となっており、また、第２挟持部材１２は、第１挟持部材１１に対して揺動中心部１１Ｇを中心として、折板屋根１の上向き突出部２の先端部３の幅方向へ揺動自在となっている。したがって、図１で示した締め付け具１３により第１挟持部材１１と第２挟持部材１２とを締め付けたときには、揺動中心部１１Ｇを中心にこれらの挟持部材１１，１２が揺動することにより、第１挟持部材１１と第２挟持部材１２の締め付けが行われる。
【００３７】
なお、上述したように、レール１５の長さ方向である折板屋根１の上向き突出部２の長手方向に連続している縦断面形状を有する第１及び第２挟持部材１１，１２は、アルミ又はアルミ合金製の押し出し成形品又は引き抜き成形品であり、同じ縦断面形状が長さ方向に連続しているアルミ又はアルミ合金製の押し出し成形品又は引き抜き成形品を所定の短寸法で切断することにより、第１及び第２挟持部材１１，１２が形成されている。
【００３８】
図３に示されているように、第１挟持部材１１のボックス部１１Ｃには、左右方向に貫通した貫通孔３１が形成され、第２挟持部材１１のボックス部１２Ｃにも、左右方向に貫通した貫通孔３２が形成されている。上述の締め付け具１３は、図１で示したボルト３３とナット３４であり、ボルト３３の軸部は貫通孔３１，３２に挿通され、貫通孔３２から突出したボルト３３の軸部にナット３４が螺合され、これらのボルト３３とナット３４とにより、第１挟持部材１１と第２挟持部材１２の締め付けが行われるようになっている。
【００３９】
なお、図３から分かるように、ボルト３３の軸部が挿通されるそれぞれの貫通孔３１，３２は、上下方向の寸法が長い長孔になっている。また、貫通孔３１，３２は、レール１５の長さ方向に複数個（図示例では２個）設けられ、これらの貫通孔３１，３２ごとにボルト３３の軸部が挿通されるようになっている。
【００４０】
また、図１に示されているように、第１挟持部材１１には前述したレール受け部材１４が結合具４０により結合されるようになっている。この結合具４０は、ボルト４１とナット４２である。図３に示されているように、第１挟持部材１１のアーム部１１Ｆには、ボルト４１の軸部を上下に挿通するための孔４３が設けられている。ボルト４１の軸部を孔４３に挿通するためには、図１から分かるように、ボルト４１の頭部４１Ａをアーム部１１Ｆの下側に配置して、ボルト４１の軸部を孔４３に下から上へ挿通し、孔４３から上方へ突出したボルト４１の軸部にナット４２を螺合する。図２に示されているように、前述したレール受け部材１４の底部１４Ａには、ボルト４１の軸部を上下に挿通させるための孔１４Ｆが形成されている。
【００４１】
第１及び第２挟持部材１１，１２は、上述したようにボルト３３及びナット３４による締め付け具１３が、貫通孔３１，３２にボルト３３の軸部が挿通されてこの軸部にナット３４が螺合されることにより、これらの挟持部材１１，１２に装着された状態となって、工場等からソーラーパネル設置現場へ搬送される。また、ボルト４１及びナット４２による結合具４０も、孔４３にボルト４１の軸部が挿通されてこの軸部にナット４２が螺合されることにより、これらの挟持部材１１，１２に装着された状態となって、第１及び第２挟持部材１１，１２は、工場等からソーラーパネル設置現場へ搬送される。
【００４２】
次に、ソーラーパネルを折板屋根１に設置するための作業について説明する。
【００４３】
ソーラーパネル設置現場では、締め付け具１３のナット３４をボルト３３の軸部の先端部まで後退回転させた後に、第１及び第２挟持部材１１，１２を、揺動中心部１１Ｇを中心に大きく開き揺動させ、次いで、これらの挟持部材１１，１２の膨出部１１Ｂ，１２Ｂの内部に折板屋根１の上向き突出部２の先端部３の幅広部３Ａを収納し、次いで、ナット３４を前進回転させることにより、第１及び第２挟持部材１１，１２を、ボルト３３及びナット３４の締め付け力によって揺動中心部１１Ｇを中心に閉じ揺動させ、これにより、図４に示されているように、それぞれの挟持部材１１，１２の下面部１１Ａ，１２Ａを上向き突出部２の上面２Ａ，２Ｂの上に載せながら、これらの下面部１１Ａ，１２Ａと膨出部１１Ｂ，１２Ｂとの間の部分１１Ｈ，１２Ｈにおいて、先端部３の下部の幅狭部３Ｂを挟持させる。このため、これらの部分１１Ｈ，１２Ｈは、幅狭部３Ｂを挟持するための第１及び第２挟持部材１１，１２における挟持部となっている。
【００４４】
なお、ボルト３３の軸部が挿通されている第１及び第２挟持部材１２の貫通孔３１，３２は、前述したように上下方向に長い長孔になっているため、ナット３４の前進回転によって行われるボルト３３及びナット３４による締め付けにより、第１及び第２挟持部材１１，１２が揺動中心部１１Ｇを中心に閉じ揺動するときに、ボルト３３の軸部の位置と第１及び第２挟持部材１１，１２の位置とに相対的な上下方向のずれが生じても、このずれを、上下方向に長い長孔となっている貫通孔３１，３２によって吸収することができ、これにより、ボルト３３及びナット３４の締め付け力を所定どおりに第１及び第２挟持部材１１，１２に作用させることができる。
【００４５】
また、上述のように幅狭部３Ｂが第１及び第２挟持部材１１，１２の挟持部１１Ｈ、１２Ｈで挟持されることにより、これらの挟持部材１１，１２を折板屋根１の上向き突出部２の先端部３に固定配置できることになる。
【００４６】
さらに、幅狭部３Ｂが第１及び第２挟持部材１１，１２の挟持部１１Ｈ、１２Ｈで挟持されたときには、第１及び第２挟持部材１１，１２の下面部１１Ａ，１２Ａが、折板屋根１の上向き突出部２における先端部３よりも下側の上面２Ａ，２Ｂの上に載せられているため、第１及び第２挟持部材１１，１２を折板屋根１の上向き突出部２における先端部３に安定させて取り付けることができる。
【００４７】
次いで、軸部が第１挟持部材１１のアーム部１１Ｆの孔４３に挿通されているボルト４１からナット４２を取り外し、このボルト４１の軸部をレール受け部材１４の図２で示した孔１４Ｆに挿通しながら、レール受け部材１４を第１及び第２挟持部材１１，１２の載置部１１Ｅ，１２Ｅの上に載置する。そして、孔１４Ｆから上方へ突出したボルト４１の軸部にナット４２を螺合し、このナット４２を締め付ける。これにより、前述した中間部材となっているレール受け部材１４は、結合具４０であるボルト４１及びナット４２により第１挟持部材１１に結合されたことになり、また、このときのレール受け部材１４は、２個の挟持部材１１，１２にレール受け部材１４を載せるために設けられている載置部１１Ｅ，１２Ｅに載置されているため、レール受け部材１４は、これらの挟持部材１１，１２に安定して載置されながら、第１挟持部材１１に結合具４０によって結合されることになる。
【００４８】
また、図３及び図４に示されているように、第１及び第２挟持部材１１，１２のうち、少なくとも一方には、本実施形態では、これらの挟持部材１１，１２の両方には、第１挟持部材１１のアーム部１１Ｆの下側において突起１１Ｉ、１２Ｉが設けられているため、上述したようにボルト４１の軸部からナット４２を取り外したときに、このボルト４１の頭部４１Ａがこれらの突起１１Ｉ、１２Ｉに係止することにより、ボルト４１がアーム部１１Ｆから脱落することを有効に防止することができ、これにより、上述したように、中間部材となっているレール受け部材１４をボルト４１及びナット４２により第１挟持部材１１に結合する作業を容易かつ迅速に行える。
【００４９】
以上のようにボルト３３及びナット３４による締め付け具１３の締め付け力を第１及び第２挟持部材１１，１２に作用させることにより、これらの挟持部材１１，１２を、折板屋根１の上向き突出部２の先端部３に固定配置し、これらの挟持部材１１，１２の載置部１１Ｅ，１２Ｅの上にレール受け部材１４を載置して、第１挟持部材１１にレール受け部材１４をボルト４１及びナット４２による結合具４０で結合する作業は、折板屋根１の上向き突出部２の長手方向に離れた複数箇所において行う。そして、それぞれのレール受け部材１４の段部１４Ｂの上にレール１５を載せることにより、これらのレール受け部材１４でレール１５を支持させた後に、前述したように連結部材１６とボルト１７及びナット１８により、レール１５とレール受け部材１４とを連結する。また、レール１５の溝部１９には、Ｔ型ボルト２１をロックナット２２で立設固定する。
【００５０】
また、このように折板屋根１の上向き突出部２の長手方向に離れた複数箇所に配置された第１及び第２挟持部材１１，１２に載置されているレール受け部材１４にレール１５を載せて、このレール１５を複数のレール受け部材１４によって支持させる作業と、レール１５の溝部１９にＴ型ボルト２１をロックナット２２で立設固定する作業は、折板屋根１の左右方向に複数個が並設されている上向き突出部２のうち、少なくとも２個の上向き突出部２について行う。
【００５１】
この後に、折板屋根１の左右方向に互いに隣接配設された２本のレール１５の上に複数枚のソーラーパネル５０を載せ、次いで、間隔をあけて２本のレール１５の上に載せられた２枚のソーラーパネル５０に間に押さえ部材２０を挿入、配置して、この押さえ部材２０の底部２０Ａの孔２０ＤにＴ型ボルト２１の軸部を挿入し、Ｔ型ボルト２１の軸部にナット２３を螺合して締め付けることにより、それぞれソーラーパネル５０を、押さえ部材２０の押さえ部２０Ｃによる押さえ作用によってレール１５に固定する。
【００５２】
なお、レール受け部材１４の段状突出部１４Ｃには、前述したボルト１７の軸部が挿通される図５の孔１４Ｅとは別の孔１４Ｇが設けられている。図６でも示されているこの孔１４Ｇは、上向き突出部２の長手方向が屋根勾配方向となっている折板屋根１にそれぞれ２個の挟持部材１１，１２を介して複数個のレール受け部材１４を配設したときに、これらのレール受け部材１４に対してレール１５が滑り落ちることを防止するために用いられ、上記複数個のレール受け部材１４のうち、折板屋根１の屋根勾配方向の最下部である軒側端部に配置されたレール受け部材１４に設けられている孔１４Ｇと、この孔１４Ｇと対応してレール１５に形成された孔とに、レール受け部材１４及びレール１５を左右方向に貫通するボルトを挿通し、このボルトの端部にナットを螺合することにより、軒側端部に配置された上記レール受け部材１４とレール１５とが連結される。
【００５３】
以上説明した本実施形態によると、折板屋根１の上向き突出部２の先端部３にソーラーパネル５０を取り付けるための取付架台１０は、上部が幅広部３Ａとなっている先端部３の下部の幅狭部３Ｂを挟持するための第１及び第２挟持部材１１，１２を有するものとなっており、これらの挟持部材１１，１２は、揺動中心部１１Ｇを中心に折板屋根１の上向き突出部２の先端部３の幅方向に揺動自在であり、締め付け具１３による締め付けによって第１挟持部材１１と第２挟持部材１２とが先端部３の下部の幅狭部３Ｂを挟持することは、揺動中心部１１Ｇを中心に挟持部材１１，１２が揺動することによって行われるため、取付架台１０を折板屋根１の上向き突出部２の先端部３に固定配置するための作業を短時間のうちに容易に行え、この作業の簡単化を図ることができるようになる。
【００５４】
また、第１挟持部材１１には、第２挟持部材１２側へ向かって延びるアーム部１１Ｆが第１挟持部材１１の一部分として形成されており、このアーム部１１Ｆの先端部に揺動中心部１１Ｇが、第１挟持部材１１の一部分としてアーム部１１Ｆと一体に形成されているため、アーム部１１Ｆ及び揺動中心部１１Ｇを有する第１挟持部材１１を、１個の部品として、前述したように、同じ縦断面形状が長さ方向に連続しているアルミ又はアルミ合金製の押し出し成形品又は引き抜き成形品を所定の短寸法で切断することにより製造することができる。
【００５５】
また、揺動中心部１１Ｇが滑動自在に嵌合される凹部１２Ｆを有する第２挟持部材１２も、１個の部品として、同じ縦断面形状が長さ方向に連続しているアルミ又はアルミ合金製の押し出し成形品又は引き抜き成形品を所定の短寸法で切断することにより製造することができる。
【００５６】
さらに、図１で示した折板屋根１の上向き突出部２の先端部３は、前述したように、二枚の板材４，５の端部同士を折り曲げて結合した結合部となっているハゼ部であり、このハゼ部３は、上方へ半円形に湾曲した丸ハゼ部となっているが、２個の挟持部材１１，１２は、左右方向の外方へ湾曲して膨出した膨出部１１Ｂ，１２Ｂを有しているため、この丸ハゼ部３の幅広部３Ｂを膨出部１１Ｂ，１２Ｂを内部に収納して、第１及び第２挟持部材１１，１２に丸ハゼ部３の幅狭部３Ｂを挟持させることができる。
【００５７】
図７の折板屋根１０１の上向き突出部１０２の先端部１０３も、二枚の板材１０４，１０５の端部同士を折り曲げて結合した結合部となっているハゼ部であって、上部の幅広部１０３Ａと下部の幅狭部１０３Ｂからなるが、このハゼ部１０３は、幅広部１０３Ａが左右方向の片側へのみ突起状に突出した形状となっている角ハゼ部である。このようにハゼ部が角ハゼ部１０３となっていても、２個の挟持部材１１，１２に左右方向の外方へ湾曲して膨出した膨出部１１Ｂ，１２Ｂを設けることにより、この角ハゼ部１０３の幅広部１０３Ａを膨出部１１Ｂ，１２Ｂの内部に収納して、第１及び第２挟持部材１１，１２に角ハゼ部１０３の幅狭部１０３Ｂを挟持させることができる。
【００５８】
図８及び図９には、これまでの実施形態とは形状が異なる第１及び第２挟持部材１１１，１１２が示されている。これらの挟持部材１１１，１１２のうち、第１挟持部材１１１では、これまでの実施形態における第１挟持部材１１の膨出部１１Ｂがくの字形状又は略くの形状の屈曲部１１１Ｂに変更されており、また、第１挟持部材１１２では、これまでの実施形態における第１挟持部材１２の膨出部１２Ｂが逆くの字形状又は逆略くの形状の屈曲部１１２Ｂに変更されている。
【００５９】
図８の折板屋根２０１の上向き突出部２０２の先端部２０３も、二枚の板材２０４，２０５の端部同士を折り曲げて結合した結合部となっているハゼ部であって、上部の幅広部２０３Ａと下部の幅狭部２０３Ｂからなる。このハゼ部２０３は、幅広部２０３Ａが左右方向に角度をもって突出したものとなっているが、第１及び第２挟持部材１１１，１１２に屈曲部１１１Ｂ，１１２Ｂを設けることにより、ハゼ部２０３の幅広部２０３Ａを屈曲部１１１Ｂ，１１２Ｂの内部に収納して、第１及び第２挟持部材１１１，１１２にハゼ部２０３の幅狭部２０３Ｂを挟持させることができる。
【００６０】
図９の折板屋根３０１の上向き突出部３０２の先端部３０３は、一枚の板材３０４の折り曲げにより形成されており、この先端部３０３は、上部の幅広部３０３Ａと下部の幅狭部３０３Ｂからなる。このような先端部３０３についても、第１及び第２挟持部材１１１，１１２に屈曲部１１１Ｂ，１１２Ｂを設けることにより、先端部３０３の幅広部３０３Ａを屈曲部１１１Ｂ，１１２Ｂの内部に収納して、第１及び第２挟持部材１１１，１１２に先端部３０３の幅狭部３０３Ｂを挟持させることができる。
【産業上の利用可能性】
【００６１】
本発明は、例えば、太陽光発電のためのソーラーパネルや、太陽熱温水器、屋根緑化装置等の設置物を折板屋根に設置するために利用することができる。
【符号の説明】
【００６２】
１，１０１，２０１，３０１  折板屋根
２，１０２，２０２，３０２  上向き突出部
３，１０３，２０３，３０３  先端部
３Ａ，１０３Ａ，２０３Ａ，３０３Ａ  幅広部
３Ｂ，１０３Ｂ，２０３Ｂ，３０３Ｂ  幅狭部
１０  取付架台
１１  第１挟持部材
１１Ｅ  中間部材載置部である載置部
１１Ｆ  アーム部
１１Ｇ  揺動中心部
１２  第２挟持部材
１２Ｅ  中間部材載置部である載置部
１３  締め付け具
１４  中間部材であるレール受け部材
１５  レール
４０  結合具
５０  折板屋根用設置物であるソーラーパネル
【図１】
2015045192.tif 000003
【図２】
2015045192.tif 000004
【図３】
2015045192.tif 000005
【図４】
2015045192.tif 000006
【図５】
2015045192.tif 000007
【図６】
2015045192.tif 000008
【図７】
2015045192.tif 000009
【図８】
2015045192.tif 000010
【図９】
2015045192.tif 000011